(57)【要約】ドラム洗濯機のコントロールボタンに対する発明が開示される。本発明のコントロールボタンは、中央に嵌め込みホール部が形成される本体部と、前記本体部の一側から突出形成され、外面にラックが形成される固定部と、前記嵌め込みホール部と連通され、前記ロータリースイッチが結合されるように、前記固定部の内部に形成される結合ホール部とを含むボタン固定部と；作動溝部及び前記ラックに対応するピニオンを内部に備えており、一端が開口される作動部と、前記作動部の一側に形成されるガイド部材と、前記ガイド部材の一端と前記作動部の他端に一体に形成される作動本体部とを含むボタン作動部と；一端が前記作動本体部と前記作動部との間に装着され、他端が前記ボタン固定部に装着される弾性部材と；前記作動本体部が内部に圧入結合され、前記コントロールパネルに設置される円柱形状のボタン調節部と；を備えることを特徴とする。【選択図】図３
2010512935.tif 000002
【特許請求の範囲】
【請求項１】
ロータリースイッチを操作するためのコントロールパネルのコントロールボタンとして、
中央に嵌め込みホール部が形成される本体部と、前記本体部の一側から突出形成され、外面にラックが形成される固定部と、前記嵌め込みホール部と連通され、前記ロータリースイッチが結合されるように、前記固定部の内部に形成される結合ホール部と、を含むボタン固定部と；
作動溝部及び前記ラックに対応するピニオンを内部に備えており、一端が開口される作動部と、前記作動部の一側に形成されるガイド部材と、前記ガイド部材の一端と前記作動部の他端に一体に形成される作動本体部と、を含むボタン作動部と；
一端が前記作動本体部と前記作動部との間に装着され、他端が前記ボタン固定部に装着される弾性部材と；
前記作動本体部が内部に圧入結合され、前記コントロールパネルに設置される円柱形状のボタン調節部と；を備えることを特徴とするコントロールパネルのコントロールボタン。
【請求項２】
前記ガイド部材は、前記作動部の外周面一側に突出形成され、内部にガイド片案内部が備わるガイド突出片と；
前記ガイド片案内部を分岐させる前記ガイド片案内部に形成され、前記作動本体部に向かうガイド溝部を備えており、前記ガイド溝部が第１傾斜部及び第２傾斜部からなるようにＶ字形状に形成されるガイド片制御突起部と；
固定端及び移動端を備えており、前記移動端が、前記ガイド片案内部に沿って移動しながら前記ボタン作動部の作動を制御し、前記固定端が前記ボタン固定部に固定されるガイド片と；を備えることを特徴とする、請求項１に記載のコントロールパネルのコントロールボタン。
【請求項３】
前記ガイド片制御突起部は、前記ガイド片に向かい、前記ガイド片の縦軸に沿って延長される仮想直線の一側に偏向されるように位置するコーナー部を備えることを特徴とする、請求項２に記載のコントロールパネルのコントロールボタン。
【請求項４】
前記ガイド部材は、前記ガイド溝部に向かい、前記作動本体部と接するように前記作動部の一面に形成される補助制御突起部を備えることを特徴とする、請求項２に記載のコントロールパネルのコントロールボタン。
【請求項５】
前記補助制御突起部は、前記ガイド溝部に向かい、前記ガイド溝部の中央部から延長される仮想直線の一側に偏向されるように位置するコーナー部を備えることを特徴とする、請求項４に記載のコントロールパネルのコントロールボタン。
【請求項６】
前記ガイド溝部の前記第１傾斜部は、前記第２傾斜部より長く形成されることを特徴とする、請求項２に記載のコントロールパネルのコントロールボタン。
【請求項７】
前記ボタン固定部、前記ボタン作動部及び前記ボタン調節部は金属材質からなることを特徴とする、請求項１に記載のコントロールパネルのコントロールボタン。
【請求項８】
前記ボタン固定部、前記ボタン作動部及び前記ボタン調節部は合成樹脂材からなることを特徴とする、請求項１に記載のコントロールパネルのコントロールボタン。
【請求項９】
前記ラックは前記ピニオンと噛み合い、
前記固定部は前記作動部に結合され、
前記固定部と前記作動部との間の相対移動の速度は制御されることを特徴とする、請求項１に記載のコントロールパネルのコントロールボタン。
【請求項１０】
前記コントロールパネルは、洗濯機のキャビネットの一部を形成し、
前記ロータリースイッチは、複数の洗濯行程のうち一つの洗濯行程を選択可能であることを特徴とする、請求項１に記載のコントロールパネルのコントロールボタン。
【請求項１１】
コントロールパネルの内部に配置される印刷回路基板に装着されるロータリースイッチを操作するためのコントロールボタンとして、
前記コントロールパネル上の前記印刷回路基板に装着されるボタン固定部と、
前記ボタン固定部に装着され、挿入位置と突出位置との間で前記印刷回路基板に法線方向に前記ボタン固定部に対して相対的に移動するように配置されるボタン作動部と；
作動本体部と作動部との間に介在される弾性部材と；
前記コントロールパネルに備わり、内部空間が定義されるように環状壁部及び閉鎖された一端を有する円柱形状のボタン調節部と；を含み、
前記ボタン作動部は、前記ボタン調節部の内部空間に圧入され、
前記環状壁部は、前記コントロールボタンが挿入位置にあるとき、前記閉鎖端がコントロールパネルの表面と実質的に水平をなすように、前記コントロールパネルに形成される嵌め込みホール部内に配置され、前記閉鎖端は、前記コントロールボタンが突出位置にあるときに前記コントロールパネルの表面外側に位置することを特徴とするコントロールボタン。
【請求項１２】
前記ボタン固定部は、延長されたガイド片を備えており、
前記ボタン作動部はガイド部材を含み、前記ガイド部材は、前記ガイド部材の一端に配置されるガイド片制御突起部を備えており、
前記ガイド片は、前記ガイド部材内で移動し、
前記ボタン作動部は、前記ガイド片と前記ガイド片制御突起部との結合によって、挿入位置で前記ボタン固定部に対応するように維持されることを特徴とする、請求項１１に記載のコントロールボタン。
【発明の詳細な説明】
【技術分野】
【０００１】
本発明は、ドラム洗濯機に関するもので、より詳細には、コントロールボタンの使用が完了したり、操作を望まない場合に、コントロールボタンがコントロールパネルの内側に収納されるようにするドラム洗濯機のコントロールボタンに関するものである。
【背景技術】
【０００２】
一般的に、ドラム洗濯機は、円筒形状のドラムを洗濯槽の内部で回転させる一方、この過程で洗濯物をドラムの上部から下部に落下させることで洗濯を行うもので、洗濯物のねじれによる損傷や洗濯水の使用量がパルセーター方式の洗濯機に比べて相対的に少ないという長所を有する。
【０００３】
図１は、一般的なドラム洗濯機を概略的に示した斜視図で、このようなドラム洗濯機Ａにおいては、前面カバー１００の正面中央で洗濯物の出し入れが行われる。そして、洗濯状態を確認できるように大型のドア１１０が前方に開閉可能に結合され、上部一側には、洗剤及び繊維柔軟剤のような洗濯添加物が貯蔵される洗剤引き出し１２０が前方に引き出し可能に結合される。
【０００４】
さらに、洗剤引き出し１２０の一側には、ドラム洗濯機Ａの機能を選択し、動作を制御する多数のボタン１４０と、洗濯行程コースのうち一つのコースを選択可能なコントロールボタン１５０と、洗濯状態を表示するディスプレイ手段１６０が付着されたコントロールパネル１３０とが結合される。
【０００５】
一方、コントロールパネル１３０の背面には、コントロールボタン１５０の操作によって回転するロータリースイッチ（図示せず）を含む多数の部品が付着された印刷回路基板（図示せず）が結合される。印刷回路基板は、洗濯機の動作を制御するマイコンと電気的に連結され、洗濯コースの入力を受けたり、洗濯進行状態を表示する電装部品である。
【０００６】
図２は、従来技術に係るドラム洗濯機のコントロールボタンが回路基板に結合された状態を示した断面図で、コントロールパネル１３０の背面に設置された印刷回路基板１７０に洗濯コースを入力する電装部品として、標準コース、ウール／ランジェリーコースなどからなる多様な洗濯コースのうち一つを選択的に入力させるロータリースイッチ１８０が装着される。ロータリースイッチ１８０の一端には、コントロールパネル１３０の外部に位置し、ロータリースイッチ１８０を操作するコントロールボタン１５０が結合される。
【０００７】
コントロールボタン１５０は、コントロールパネル１３０の外部に突出された本体部１５２と、本体部１５２の背面に一体に形成されてロータリースイッチ１８０に結合される締結部１５４とを含んで構成される。
【発明の概要】
【発明が解決しようとする課題】
【０００８】
しかしながら、コントロールボタン１５０の本体部１５２がコントロールパネル１３０の外部に露出されているので、使用者及びその他の物と接触した場合、選択された洗濯コースが変更されるだけでなく、接触による衝撃が大きい場合、コントロールボタン１５０が破損される可能性もある。
【０００９】
したがって、このような問題を改善する必要性が要請される。
【課題を解決するための手段】
【００１０】
本発明は、上記のような必要性に応じてなされたもので、その目的は、コントロールボタンの使用が完了したり、操作を望まない場合に、コントロールボタンがコントロールパネルの内側に収納されるようにするドラム洗濯機のコントロールボタンを提供することにある。
【００１１】
本発明の一側面によると、コントロールパネルのコントロールボタンは、中央に嵌め込みホール部が形成される本体部と、前記本体部の一側から突出形成され、外面にラックが形成される固定部と、前記嵌め込みホール部と連通され、前記ロータリースイッチが結合されるように、前記固定部の内部に形成される結合ホール部と、を含むボタン固定部と；作動溝部及び前記ラックに対応するピニオンを内部に備えており、一端が開口される作動部と、前記作動部の一側に形成されるガイド部材と、前記ガイド部材の一端と前記作動部の他端に一体に形成される作動本体部と、を含むボタン作動部と；一端が前記作動本体部と前記作動部との間に装着され、他端が前記ボタン固定部に装着される弾性部材と；前記作動本体部が内部に圧入結合され、前記コントロールパネルに設置される円柱形状のボタン調節部と；を備える。
【００１２】
好ましくは、前記ガイド部材は、前記作動部の外周面一側に突出形成され、内部にガイド片案内部が備わるガイド突出片と；前記ガイド片案内部を分岐させる前記ガイド片案内部に形成され、前記作動本体部に向かうガイド溝部を備えており、前記ガイド溝部が第１傾斜部及び第２傾斜部からなるようにＶ字形状に形成されるガイド片制御突起部と；固定端及び移動端を備えており、前記移動端が、前記ガイド片案内部に沿って移動しながら前記ボタン作動部の作動を制御し、前記固定端が前記ボタン固定部に固定されるガイド片と；を備える。
【００１３】
より好ましくは、前記ガイド片制御突起部は、前記ガイド片に向かい、前記ガイド片の縦軸に沿って延長される仮想直線の一側に偏向されるように位置するコーナー部を備える。
【００１４】
より好ましくは、前記ガイド部材は、前記ガイド溝部に向かい、前記作動本体部と接するように前記作動部の一面に形成される補助制御突起部を備える。
【００１５】
より好ましくは、前記補助制御突起部は、前記ガイド溝部に向かい、前記ガイド溝部の中央部から延長される仮想直線の一側に偏向されるように位置するコーナー部を備える。
【００１６】
より好ましくは、前記ガイド溝部の前記第１傾斜部は、前記第２傾斜部より長く形成される。
【００１７】
より好ましくは、前記ボタン固定部、前記ボタン作動部及び前記ボタン調節部は金属材質からなる。
【００１８】
好ましくは、前記ボタン固定部、前記ボタン作動部及び前記ボタン調節部は合成樹脂材からなる。
【００１９】
好ましくは、前記ラックは前記ピニオンと噛み合い、前記固定部は前記作動部に結合され、前記固定部と前記作動部との間の相対移動の速度は制御される。
【００２０】
好ましくは、前記コントロールパネルは、洗濯機のキャビネットの一部を形成し、前記ロータリースイッチは、複数の洗濯行程のうち一つの洗濯行程を選択可能である。
【００２１】
本発明の他の側面によると、コントロールボタンは、前記コントロールパネル上の前記印刷回路基板に装着されるボタン固定部と、前記ボタン固定部に装着され、挿入位置と突出位置との間で前記印刷回路基板に法線方向に前記ボタン固定部に対して相対的に移動するように配置されるボタン作動部と；作動本体部と作動部との間に介在される弾性部材と；前記コントロールパネルに備わり、内部空間が定義されるように環状壁部及び閉鎖された一端を有する円柱形状のボタン調節部と；を含み、前記ボタン作動部は、前記ボタン調節部の内部空間に圧入され、前記環状壁部は、前記コントロールボタンが挿入位置にあるとき、前記閉鎖端がコントロールパネルの表面と実質的に水平をなすように、前記コントロールパネルに形成される嵌め込みホール部内に配置され、前記閉鎖端は、前記コントロールボタンが突出位置にあるときに前記コントロールパネルの表面外側に位置する。
【００２２】
好ましくは、前記ボタン固定部は、延長されたガイド片を備えており、前記ボタン作動部はガイド部材を含み、前記ガイド部材は、前記ガイド部材の一端に配置されるガイド片制御突起部を備えており、前記ガイド片は、前記ガイド部材内で移動し、前記ボタン作動部は、前記ガイド片と前記ガイド片制御突起部との結合によって、挿入位置で前記ボタン固定部に対応するように維持される。
【発明の効果】
【００２３】
本発明に係るドラム洗濯機のコントロールボタンは、従来発明と異なり、コントロールボタンの使用が完了したり、操作を望まない場合に、コントロールボタンがコントロールパネルの内側に収納されるようにし、ドラム洗濯機の使用中に発生するコントロールボタンの意図しない操作を防止することができる。これによって、洗濯コースが使用者の意図に反して変更される状況を未然に防止できるようになる。また、コントロールボタンの内側収納により、外部物体との接触によって発生するコントロールボタンの破損を防止できるようになる。
【００２４】
本発明は、図面に示した実施例を参考にして説明されたが、これは例示的なものに過ぎなく、当該技術分野で通常の知識を有する者であれば、これから多様な変形及び均等な他の実施例が可能であることを理解するであろう。
【００２５】
また、ドラム洗濯機に備わるコントロールボタンを例に挙げて説明したが、これは例示的なものに過ぎなく、意図しないコントロールボタンの操作を防止するためには、何れの電子製品にも本発明のコントロールボタンが使用可能である。したがって、本発明の真の技術的保護範囲は、下記の特許請求の範囲によって定められるべきである。
【図面の簡単な説明】
【００２６】
【図１】一般的なドラム洗濯機を概略的に示した斜視図である。
【図２】従来技術に係るドラム洗濯機のコントロールボタンが回路基板に結合された状態を示した断面図である。
【図３】本発明の一実施例に係るドラム洗濯機のコントロールボタンの分離斜視図である。
【図４】本発明の一実施例に係るドラム洗濯機のコントロールボタンが回路基板に結合された状態を示した断面図である。
【図５】本発明の一実施例に係るドラム洗濯機のコントロールボタンが突出位置にある状態を示した正面図である。
【図６】本発明の一実施例に係るドラム洗濯機のコントロールボタンが挿入位置にある状態を示した正面図である。
【発明を実施するための形態】
【００２７】
以下、添付された図面を参照して本発明に係るドラム洗濯機のコントロールボタンの一実施例を説明する。説明の便宜のために、ドラム洗濯機に備わるコントロールボタンを例に挙げて説明する。この過程で図面に示した線の厚さや構成要素の大きさなどは、説明の明瞭性と便宜のために誇張されて示されることがある。
【００２８】
また、後述する各用語は、本発明での機能を考慮して定義された用語で、これは、使用者及び運用者の意図または慣例によって変わり得る。したがって、これら用語は、本明細書の全般的な内容に基づいて定義されるべきである。
【００２９】
図３乃至図６を参照すると、ドラム洗濯機のコントロールボタン１０は、ボタン固定部２０、ボタン作動部３０、弾性部材４０及びボタン調節部５０を含む。
【００３０】
ボタン固定部２０は、印刷回路基板８０に設置されたロータリースイッチ６０に結合されるもので、大きく本体部２１、固定部２２及び結合ホール部２６からなる。
【００３１】
本体部２１は、円形に形成されるもので、その中央に嵌め込みホール部２１Ａが形成される。また、固定部２２は、本体部２１の一面に一体に突出形成され、突出された外面にはラック２３が形成される。
【００３２】
固定部２２の一端部外周面には多数個の固定フック２５が形成され、ラック２３は、後述するピニオン３８と噛み合うようになり、コントロールボタン１０のコントロールパネル９０への挿入及びコントロールパネル９０からの突出時に、進行速度をより緩やかにする役割をする。
【００３３】
結合ホール部２６は、固定部２２の内部で嵌め込みホール部２１Ａと連通され、ロータリースイッチ６０に結合される。
【００３４】
ボタン作動部３０は、ボタン固定部２０の一側に結合されるもので、作動部３１、ガイド部材３２及び作動本体部３９からなる。
【００３５】
作動部３１は、ボタン固定部２０の固定部２２が結合されるように、その内部に形成される作動溝部３１Ａと、ラック２３と噛み合うように作動溝部３１Ａ内に装着されるピニオン３８とを有する。また、作動部３１の一側は開口された形状を有する。特に、作動部３１の開放された一端はボタン固定部２０に向かう。
【００３６】
ガイド部材３２は作動部３１の一側に形成され、作動本体部３９は、ガイド部材３２と作動部３１の一側面に一体に形成される。
【００３７】
作動部３１の作動溝部３１Ａの入口側内周面には、固定フック２５に対応する係止フック３１Ｂが形成される。係止フック３１Ｂは、ボタン固定部２０からボタン作動部３０が分離されないように、固定フック２５と互いに噛み合うようになる。
【００３８】
具体的に説明すると、ガイド部材３２は、大きくガイド突出片３３、ガイド片制御突起部３５、補助制御突起部３５Ａ及びガイド片３７からなる。ガイド片３７は、略Ｕ字形状の部材であり、固定端３７Ａ及び移動端３７Ｂを有する。
【００３９】
ガイド突出片３３は、作動部３１の外周面一側に長さ方向に一体に突出され、突出された部分の内部にはガイド片案内部３４が備わる。
【００４０】
ガイド片制御突起部３５は、ガイド片案内部３４に突出形成され、ガイド片案内部３４を第１案内部３４Ａと第２案内部３４Ｂに分岐させる。ここで、第１案内部３４Ａは、第１側（例えば、右側）のガイド片案内部３４を表すもので（図５を参照）、コントロールボタン１０がコントロールパネル９０側に挿入される場合に移動する通路で、第２案内部３４Ｂは、第２側（例えば、左側）のガイド片案内部３４を表すもので、コントロールボタン１０が突出される場合に移動する通路である。
【００４１】
また、ガイド片制御突起部３５には、作動本体部３９側に外周面が第１傾斜部３６Ａと第２傾斜部３６Ｂに分けられるように、Ｖ字形状のガイド溝部３６が形成される。ここで、第１傾斜部３６Ａは、ガイド溝部３６の右側面を表すもので（図５を参照）、コントロールボタン１０が第１傾斜部３６Ａに沿ってガイド溝部３６に定着されることで、コントロールボタン１０の挿入が完了する。そして、第２傾斜部３６Ｂは、ガイド溝部３６の左側面を表すもので、第２傾斜部３６Ｂに沿ってガイド溝部３６からコントロールボタン１０の離脱が開始される。
【００４２】
このとき、ガイド溝部３６の第１傾斜部３６Ａは、第２傾斜部３６Ｂより長く形成されるが、その理由は、ドラム洗濯機を使用しようとする場合、ボタン作動部３０の動作時、ガイド溝部３６に位置したガイド片３７の移動端３７Ｂを第２傾斜部３６Ｂを通して移動させるためである。
【００４３】
補助制御突起部３５Ａは、ガイド片３７がガイド溝部３６から容易に離脱されるようにガイド溝部３６に向かい、作動本体部３９と接する作動部３１の一面に突出形成される。本実施例で、補助制御突起部３５Ａは三角形状であり、補助制御突起部３５Ａにおいて、作動部３１の一面と接する部分を底辺部とし、底辺部と垂直をなす部分を高さ部とし、残りの一部分を斜辺部としたとき、高さ部と斜辺部とが接触する頂点部分は、ガイド溝部３６の中心から第１傾斜部３６Ａ側に偏った位置に形成される。これによって、ガイド片３７の移動端３７Ｂは、ボタン調節部５０を加圧する場合、ガイド溝部３６から補助制御突起部３５Ａ側に移動するようになり、補助制御突起部３５Ａの高さ部と斜辺部との接触部分が第１傾斜部３６側に形成されているので、移動端３７Ｂは、補助制御突起部３５Ａの斜辺部に沿ってガイド溝部３６から離脱して第２案内部３４Ｂ側に案内される。結局、ガイド片３７は、補助制御突起部３５Ａによってガイド溝部３６から容易に離脱されるようになる。
【００４４】
ガイド片３７は、移動端３７Ｂがガイド片案内部３４に沿って移動しながらボタン作動部３０の作動を制御できるように、固定端３７Ａがボタン固定部２０に固定される。
【００４５】
弾性部材４０は、作動本体部３９と作動部３１との間に挿入設置され、コントロールボタン１０の挿入時、弾性部材４０の一端部がボタン固定部２０の一面と接するようになり、弾性部材が圧縮される。また、移動端３７Ｂがガイド溝部３６の中心に位置すると、弾性部材４０は、ボタン作動部３０を弾性的に支持するようになる。このような弾性的な支持によって、移動端３７Ｂがガイド溝部３６から離脱すると、ボタン作動部３０は、弾性部材４０の復元力の進行方向に移動するようになる。
【００４６】
ボタン調節部５０は、コントロールパネル９０に設置されるもので、一端５２が閉鎖され、他端５６が開放された円柱形状を有する。ボタン作動部３０の作動本体部３９は、ボタン調節部５０の開放端５６に圧入結合される。
【００４７】
ボタン調節部５０の環状壁部５４は、コントロールボタン１０の挿入時に閉鎖端５２がコントロールパネル９０の表面と実質的に水平をなすように、コントロールパネル９０に形成される嵌め込みホール部９２内に配置される。また、閉鎖端５２は、コントロールボタン１０の突出時にコントロールパネル９０の表面外側に位置するようになる。
【００４８】
ボタン固定部２０、ボタン作動部３０及びボタン調節部５０の材質は、金属材または合成樹脂材である。
【００４９】
以下、図４乃至図６を参照して、本発明の一実施例に係るドラム洗濯機のコントロールボタンの作動原理を説明する。
【００５０】
ドラム洗濯機のコントロールボタン１０は、コントロールパネル９０の嵌め込みホール部９２を通して印刷回路基板８０に設置されたロータリースイッチ６０に結合される。そして、使用者が多数のコースのうち洗濯しようとするコースにコントロールボタン１０を回転させると、コントロールボタン１０の回転によってロータリースイッチ６０が回転するようになる。ロータリースイッチ６０は、印刷回路基板８０に標準コース、ウール／ランジェリーコースなどの多様な洗濯コースのうち何れか一つを選択的に入力できるように設置されるので、ロータリースイッチ６０の回転によって使用者が洗濯しようとするコースの洗濯過程が行われる。
【００５１】
以下、コントロールボタンの挿入及び突出の作動原理を説明する。
【００５２】
ドラム洗濯機を使用するために、コントロールボタン１０のボタン調節部５０を押すと、ボタン調節部５０の加圧力によってボタン作動部３０が作動するようになる。これによって、ガイド溝部３６に位置しているガイド片３７の移動端３７Ｂは、第２傾斜部３６Ｂ、第２案内部３４Ｂ及びガイド片案内部３４に沿って移動しながらガイド突出片３３の他端に位置するようになる。
【００５３】
このとき、移動端３７Ｂは、補助制御突起部３５Ａの構成によってガイド溝部３６から第２案内部３４Ｂ側に容易に案内される。これと同時に、ボタン作動部３０は、弾性部材４０の弾性力によってボタン固定部２０から離隔され、ボタン調節部５０はコントロールパネル９０の外部に突出される（図５を参照）。
【００５４】
ボタン固定部２０から離隔された作動部３０は、ボタン固定部２０の固定フック２５にボタン作動部３０の係止フック３１Ｂが係止されるので離脱されない。
【００５５】
このような状態で、使用者は、洗濯しようとするコースにコントロールボタン１０を回転させた後、洗濯しようとするコースの機能を行えばよい。
【００５６】
また、コントロールボタン１０の使用が完了した場合には、コントロールパネル９０を再び押し、ボタン調節部５０がコントロールパネル９０の外部に突出されないようにする。
【００５７】
すなわち、コントロールパネル９０の外部に突出されているコントロールボタン１０のボタン調節部５０を押すと、ボタン調節部５０の加圧力によってボタン作動部３０がボタン固定部２０側に移動するようになる。これによって、ガイド片３７の移動端３７Ｂは、ガイド片案内部３４を通して第１案内部３４Ａに移動するようになる。この状態でボタン調節部５０をさらに加圧すると、移動端３７Ｂは、ガイド片制御突起部３５の第１傾斜部３６Ａに沿って移動し、ガイド溝部３６の中心、すなわち、第１傾斜部３６Ａと第２傾斜部３６Ｂとの間に位置したときに停止する。
【００５８】
これと同時に、ボタン固定部２０とボタン作動部３０との間の間隔が近くなり、ボタン調節部５０は、コントロールパネル９０の嵌め込みホール部９２を通してコントロールパネル９０の内側に移動し、外部に突出されなくなる。そして、弾性部材４０は圧縮され、固定フック２５と係止フック３１Ｂの係止が解除される（図６を参照）。
【００５９】
また、ボタン固定部２０に形成されるラック２３とこれに対応するようにボタン作動部３０に形成されるピニオン３８の構成により、コントロールボタン１０のコントロールパネル９０への挿入やコントロールパネル９０からの突出がより緩やかに行われる。これによって、コントロールボタン１０の突然の挿入及び突出によって発生するボタン固定部２０とボタン作動部３０との間の結合力低下を防止することができ、コントロールボタン１０の挿入及び突出作動時に使用者が感じる作動感が向上する。
【図１】
2010512935.tif 000003
【図２】
2010512935.tif 000004
【図３】
2010512935.tif 000005
【図４】
2010512935.tif 000006
【図５】
2010512935.tif 000007
【図６】
2010512935.tif 000008
【国際調査報告】
2010512935.tif 000009
2010512935.tif 000010
2010512935.tif 000011